(57)【要約】      （修正有）【課題】新規な紙製の構造物用部材及びそれを組み合わせて作られた紙製構造物を提供し、とりわけ、一時的又は短期間だけ設置する目的に適した、新規な紙製の構造物用部材及びそれを組み合わせて作られた紙製構造物を提供する。【解決手段】複数枚の紙を積層及び／又は任意に組み合わせて成る厚紙を複数枚組み合わせて構成され、任意の断面形状を有する柱状又は湾曲する柱状の形状を有する紙製の構造物用部材及びこれを組み合わせて成る紙製構造物である。【選択図】図１
0003169481.tif 000002
【実用新案登録請求の範囲】
【請求項１】
段ボールシート、ハニカム構造を有するシート、厚さ方向の断面が、略平行な２枚の紙とその２枚の紙に挟まれかつ該２枚の紙に略垂直な複数の紙とから成る構造を有するシート（但し、上記のハニカム構造を有するシートを除く）、及び、これらシートを２〜３０枚重ね合わせた構造を有するシートより成る群から選ばれる厚紙から成り、Ｈ型、エ型、ロ型、Ｌ型、Ｉ型、コ型、多角形型、及び、対抗する略平行な２本の直線と、該略平行な２本の直線の夫々の両端以外の位置で該略平行な２本の直線にその両端で接し、かつ該略平行な２本の直線に略垂直な２本の直線とにより形成される形状より成る群から選ばれる断面形状を有する、柱状又は湾曲する柱状の形状を有する紙製の構造物用部材（ここで、上記の断面形状は、長手方向に垂直な面で、上記の紙製の構造物用部材を切断したときの断面形状を言う）。
【請求項２】
上記の、厚さ方向の断面が、略平行な２枚の紙とその２枚の紙に挟まれかつ該２枚の紙に略垂直な複数の紙とから成る構造を有するシートが、該略平行な２枚の紙に平行な面で切った断面を該断面に対して垂直な方向から見たとき、該シートを構成する略垂直な複数の紙により構成される形状が四角形又は波形である構造を有する、請求項１記載の紙製の構造物用部材。
【請求項３】
上記のシートを２〜３０枚重ね合わせた構造を有するシートが、段ボールシート、ハニカム構造を有するシート、及び、厚さ方向の断面が、略平行な２枚の紙とその２枚の紙に挟まれかつ該２枚の紙に略垂直な複数の紙とから成る構造を有するシートより成る群から選ばれる同種及び／又は異種のシートを重ね合わせたものである、請求項１又は２記載の紙製の構造物用部材。
【請求項４】
上記の厚紙の厚さが５〜１００ｍｍである、請求項１〜３のいずれか一つに記載の紙製の構造物用部材。
【請求項５】
上記の構造物用部材を構成する厚紙の枚数が２〜２０枚である、請求項１〜４のいずれか一つに記載の紙製の構造物用部材。
【請求項６】
上記の構造物用部材の形状が柱状である、請求項１〜５のいずれか一つに記載の紙製の構造物用部材。
【請求項７】
上記の構造物が、展示場、販売場又はメディア作成用スタジオの骨組みである、請求項１〜６のいずれか一つに記載の紙製の構造物用部材。
【請求項８】
請求項１〜７のいずれか一つに記載の紙製の構造物用部材を組み合わせて成る紙製構造物。
【考案の詳細な説明】
【技術分野】
【０００１】
本考案は、紙製の構造物用部材及びそれを組み合わせて成る紙製構造物に関し、更に詳しくは、厚紙、例えば、段ボールシート、ハニカム構造を有するシート、厚さ方向の断面が、略平行な２枚の紙とその２枚の紙に挟まれかつ該２枚の紙に略垂直な複数の紙とから成る構造を有するシート等を複数枚組み合わせて構成された紙製の構造物用部材、及びそれを組み合わせて作られた紙製構造物に関する。
【背景技術】
【０００２】
従来、展覧会又は博覧会等の展示場、販売促進のための商品展示場、商品の販売場、メディア作成用スタジオ、例えば、写真撮影用スタジオ、映像撮影用スタジオ、レコーディングスタジオ、リハーサルスタジオ等の構造物の骨組みには、主として金属製鋼材が使用されていた。半永久的に設置する目的での上記構造物においては、金属製鋼材の骨組みは有用かつ効果的ではあるが、一時的又は短期間だけ設置する目的における上記構造物、即ち、短いものでは数日、長いものでも数か月で解体してしまうような上記構造物においては、金属製鋼材の骨組みは、相当な重量物であることから設置、解体、移動、撤去等に不便であり、また、種々の形状にすることが容易ではないばかりか高価であり、従って、必然的にコスト高を招いていた。
【０００３】
各種の構造物において、金属製鋼材以外を使用する試みがなされている。例えば、特許文献１には、段ボールを複数の積層体に張り合わせ、該表面若しくは表裏面に対しつき板を接着して構成したことを特徴とする建材が開示されている。該建材は、建築物、家具、各種インテリア製品等に使用するものであるが、厚さ３〜８ｍｍ程度の段ボールを複数枚積層した板状物であり、上記の構造物の骨組み以外の部分には使用可能ではあるものの、骨組みとして使用することはできなかった。特許文献２には、平板の一面に、波状に折り曲げ加工した波板の一面を張り合わせてハニカム半体を構成し、そのハニカム半体の少なくとも２枚を、相対面する波板間に貼合紙を挟んで重ね合わせ、ハニカム半体の波板のストライプを交叉させて、それらのハニカム半体を貼り合わせてなる積層板が開示されている。これらの積層板は梱包箱等に使用するものである。また、その構造上、上記の構造物の骨組み以外の部分には使用可能ではあるものの、やはり骨組みとして使用することはできなかった。
【先行技術文献】
【特許文献】
【０００４】
【特許文献１】実用新案登録第３０７９４６８号公報
【特許文献２】実用新案登録第３１３８１２３号公報
【考案の概要】
【考案が解決しようとする課題】
【０００５】
本考案は、新規な紙製の構造物用部材及びそれを組み合わせて作られた紙製構造物を提供し、とりわけ、一時的又は短期間だけ設置する目的に適した、新規な紙製の構造物用部材及びそれを組み合わせて作られた紙製構造物を提供するものである。
【課題を解決するための手段】
【０００６】
上記のように、従来、展覧会又は博覧会等の展示場、販売促進のための商品展示場、商品の販売場、メディア作成用スタジオ、例えば、写真撮影用スタジオ、映像撮影用スタジオ、レコーディングスタジオ、リハーサルスタジオ等の構造物の骨組みに使用されていた金属製鋼材は、非常に重く取り扱い難く、とりわけ、一時的又は短期間だけ設置する目的における構造物には適していなかった。そこで、本考案者は、軽量で取り扱い易い、上記構造物の骨組みを提供すべく、種々の検討を試みた。その結果、従来、構造物の骨組みの材としては、強度的に弱くかつ耐火性に欠けることから不適切と考えられ使用されていなかった紙であっても、下記所定の構成を有する構造物用部材とすれば、十分な強度を確保でき、かつ、軽量で取り扱い易く、とりわけ、一時的又は短期間だけ設置する目的における構造物には著しく適していることを見出し、本考案を完成するに至った。
【０００７】
即ち、本考案は、
（１）段ボールシート、ハニカム構造を有するシート、厚さ方向の断面が、略平行な２枚の紙とその２枚の紙に挟まれかつ該２枚の紙に略垂直な複数の紙とから成る構造を有するシート（但し、上記のハニカム構造を有するシートを除く）、及び、これらシートを２〜３０枚重ね合わせた構造を有するシートより成る群から選ばれる厚紙から成り、Ｈ型、エ型、ロ型、Ｌ型、Ｉ型、コ型、多角形型、及び、対抗する略平行な２本の直線と、該略平行な２本の直線の夫々の両端以外の位置で該略平行な２本の直線にその両端で接し、かつ該略平行な２本の直線に略垂直な２本の直線とにより形成される形状より成る群から選ばれる断面形状を有する、柱状又は湾曲する柱状の形状を有する紙製の構造物用部材（ここで、上記の断面形状は、長手方向に垂直な面で、上記の紙製の構造物用部材を切断したときの断面形状を言う）である。
【０００８】
好ましい態様として、
（２）上記の、厚さ方向の断面が、略平行な２枚の紙とその２枚の紙に挟まれかつ該２枚の紙に略垂直な複数の紙とから成る構造を有するシートが、該略平行な２枚の紙に平行な面で切った断面を該断面に対して垂直な方向から見たとき、該シートを構成する略垂直な複数の紙により構成される形状が四角形又は波形である構造を有する、上記（１）記載の紙製の構造物用部材、
（３）上記のシートを２〜３０枚重ね合わせた構造を有するシートが、段ボールシート、ハニカム構造を有するシート、及び、厚さ方向の断面が、略平行な２枚の紙とその２枚の紙に挟まれかつ該２枚の紙に略垂直な複数の紙とから成る構造を有するシートより成る群から選ばれる同種及び／又は異種のシートを重ね合わせたものである、上記（１）又は（２）記載の紙製の構造物用部材、
（４）上記のシートを重ね合わせた構造を有するシートが、シートを２〜２０枚重ね合わせたものである、上記（１）〜（３）のいずれか一つに記載の紙製の構造物用部材、
（５）上記のシートを重ね合わせた構造を有するシートが、シートを２〜１０枚重ね合わせたものである、上記（１）〜（３）のいずれか一つに記載の紙製の構造物用部材、
（６）上記のシートを重ね合わせた構造を有するシートが、シートを２〜５枚重ね合わせたものである、上記（１）〜（３）のいずれか一つに記載の紙製の構造物用部材、
（７）上記の厚紙の厚さが５〜１００ｍｍである、上記（１）〜（６）のいずれか一つに記載の紙製の構造物用部材、
（８）上記の厚紙の厚さが５〜３０ｍｍである、上記（１）〜（６）のいずれか一つに記載の紙製の構造物用部材、
（９）上記の厚紙の厚さが１０〜２０ｍｍである、上記（１）〜（６）のいずれか一つに記載の紙製の構造物用部材、
（１０）上記の構造物用部材の断面形状が、ロ型、８角形型、及び、対抗する略平行な２本の直線と、該略平行な２本の直線の夫々の両端以外の位置で該略平行な２本の直線にその両端で接し、かつ該略平行な２本の直線に略垂直な２本の直線とにより形成される形状より成る群から選ばれる、上記（１）〜（９）のいずれか一つに記載の紙製の構造物用部材、
（１１）上記の対抗する略平行な２本の直線と、該略平行な２本の直線の夫々の両端以外の位置で該略平行な２本の直線にその両端で接し、かつ該略平行な２本の直線に略垂直な２本の直線とにより形成される形状が、下記形状
0003169481.tif 000003
である、上記（１）〜（１０）のいずれか一つに記載の紙製の構造物用部材、
（１２）上記の構造物用部材を構成する厚紙の枚数が２〜２０枚である、上記（１）〜（１１）のいずれか一つに記載の紙製の構造物用部材、
（１３）上記の構造物用部材を構成する厚紙の枚数が３〜１０枚である、上記（１）〜（１１）のいずれか一つに記載の紙製の構造物用部材、
（１４）上記の構造物用部材を構成する厚紙の枚数が４〜１０枚である、上記（１）〜（１１）のいずれか一つに記載の紙製の構造物用部材、
（１５）上記の構造物用部材の形状が柱状である、上記（１）〜（１４）のいずれか一つに記載の紙製の構造物用部材、
（１６）上記の構造物用部材の長手方向の長さが、１００〜３，０００ｍｍである、上記（１）〜（１５）のいずれか一つに記載の紙製の構造物用部材、
（１７）上記の構造物用部材の長手方向の長さが、３００〜２，０００ｍｍである、上記（１）〜（１５）のいずれか一つに記載の紙製の構造物用部材、
（１８）上記の構造物用部材の断面の一辺の長さが、２０〜５００ｍｍである、上記（１）〜（１７）のいずれか一つに記載の紙製の構造物用部材（ここで、上記の断面は、長手方向に垂直な面で、上記の構造物用部材を切断したときの断面を言う）、
（１９）上記の構造物用部材の断面の一辺の長さが、４０〜３５０ｍｍである、上記（１）〜（１７）のいずれか一つに記載の紙製の構造物用部材（ここで、上記の断面は、長手方向に垂直な面で、上記の構造物用部材を切断したときの断面を言う）、
（２０）上記の構造物が展示場、販売場又はメディア作成用スタジオの骨組みである、上記（１）〜（１９）のいずれか一つに記載の紙製の構造物用部材、
（２１）上記の構造物が一時的又は短期間だけ設置する構造物である、上記（１）〜（２０）のいずれか一つに記載の紙製の構造物用部材、
（２２）上記（１）〜（２１）のいずれか一つに記載の紙製の構造物用部材を組み合わせて成る紙製構造物、
（２３）展示場、販売場又はメディア作成用スタジオの骨組みである、上記（２２）記載の紙製の紙製構造物
を挙げることができる。
【考案の効果】
【０００９】
本考案に係る構造物用部材は紙製であることから、軽量で取り扱い易く、かつ、種々の形状のものを容易に作製することができる。従って、該構造物用部材を組み合わせて作製した構造物の設置及び撤去が容易であり、かつ、レイアウト及びモチーフの自由度も高く、併せて、移動、廃棄等も容易であり、かつ、安価である。とりわけ、一時的又は短期間だけ設置する目的における構造物において、これらの効果が顕著である。
【図面の簡単な説明】
【００１０】
【図１】図１は、本考案の紙製の構造物用部材（Ａ）の一実施態様を示した概略図である。
【図２】図２は、本考案の紙製の構造物用部材（Ａ）の一実施態様を示した概略図である。
【図３】図３は、本考案の紙製の構造物用部材（Ａ）の一実施態様を示した概略図である。
【図４】図４は、本考案の紙製の構造物用部材を構成する厚紙（１）の断面形状を示した図である。
【図５】図５は、図４中の（ｄ）、（ｅ）及び（ｆ）の厚紙を水平方向に切断した断面を上から見た図である。
【図６】図６は、本考案の紙製の構造物用部材（Ａ）の一実施態様の平面図（断面形状を示す図）である。
【図７】図７は、図６の（イ）に示した断面形状を有する構造物用部材（Ａ）の正面図である。
【図８】図８は、図６の（イ）に示した断面形状を有する構造物用部材（Ａ）の側面図である。
【図９】図９は、図６の（ロ）に示した断面形状を有する構造物用部材（Ａ）の正面図である。
【図１０】図１０は、図６の（ロ）に示した断面形状を有する構造物用部材（Ａ）の側面図である。
【図１１】図１１は、図６の（ホ）に示したロ型の断面形状を有する構造物用部材（Ａ）の正面図である。
【図１２】図１２は、図６の（ヘ）に示したロ型の断面形状を有する構造物用部材（Ａ）の正面図である。
【図１３】図１３は、図６の（ハ）に示した８角形型の断面形状を有する構造物用部材（Ａ）の正面図である。
【図１４】図１４は、図６の（ニ）に示した８角形型の断面形状を有する構造物用部材（Ａ）の正面図である。
【図１５】図１５は、締結具（３）の上面を示す概略図である。
【図１６】図１６は、締結具（３）を構成する締結具外側部品（４）及び締結具内側部品（５）の側面を示す概略図である。
【図１７】図１７は、締結具（３）を使用して紙製の構造物用部材（Ａ）同士を組み合わせた状態を示す概略図である。
【図１８】図１８は、本考案の紙製の構造物用部材（Ａ）を組み合わせて作製した紙製構造物（Ｂ）の一実施態様を示した概略図である。
【図１９】図１９は、本考案の紙製の構造物用部材（Ａ）を組み合わせて作製した紙製構造物（Ｂ）の一実施態様を示した概略図である。
【図２０】図２０は、本考案の紙製の構造物用部材（Ａ）を組み合わせて作製した紙製構造物（Ｂ）の一実施態様を示した概略図である。
【考案を実施するための形態】
【００１１】
本考案の紙製の構造物用部材は、複数枚の紙を積層及び／又は任意に組み合わせて成る厚紙を、複数枚組み合わせて構成される。複数枚の紙を積層及び／又は任意に組み合わせて成る厚紙としては、公知のものを使用することができる。好ましくは、段ボールシート、ハニカム構造を有するシート、厚さ方向の断面が、略平行な２枚の紙とその２枚の紙に挟まれかつ該２枚の紙に略垂直な複数の紙とから成る構造を有するシート（但し、上記のハニカム構造を有するシートを除く）、及び、これらシートを複数枚重ね合わせた構造を有するシートより成る群から選ばれる。上記のシートを複数枚重ね合わせた構造を有するシートとは、上記の段ボールシート、ハニカム構造を有するシート、及び、厚さ方向の断面が、略平行な２枚の紙とその２枚の紙に挟まれかつ該２枚の紙に略垂直な複数の紙とから成る構造を有するシートより成る群から選ばれる同種及び／又は異種のシートを、２〜３０枚、好ましくは２〜２０枚、より好ましくは２〜１０枚、更に好ましくは２〜５枚、より更に好ましくは２〜３枚重ね合わせたものを言う。該厚紙の厚さは、好ましくは５〜１００ｍｍ、より好ましくは５〜３０ｍｍ、更に好ましくは１０〜２０ｍｍである。図４には、該厚紙の断面形状を示した。図４中、（ａ）は段ボールシートの厚紙を示し、（ｂ）は該段ボールシートを２枚積層した厚紙を示し、（ｃ）は該段ボールシートを３枚積層した厚紙を示し、（ｄ）及び（ｆ）は、厚さ方向の断面が、略平行な２枚の紙とその２枚の紙に挟まれかつ該２枚の紙に略垂直な複数の紙とから成る構造を有するシートの厚紙を示し、かつ、（ｅ）はハニカム構造を有するシートの厚紙を示す。図５は、図４中の（ｄ）、（ｅ）及び（ｆ）の厚紙を水平方向に切断した断面を上から見たとき、即ち、（ｄ）、（ｅ）及び（ｆ）の厚紙を、略平行な２枚の紙に平行な面で切った断面を該断面に対して垂直な方向から見たときの図である。（ｄ）の厚紙においては、略平行な２枚の紙に挟まれかつ該２枚の紙に略垂直な複数の紙により、四角形、例えば、略長方形の室が形成されている。（ｅ）の厚紙においては、略六角形の室が形成されている。これは、いわゆるハニカム構造と呼ばれているものである。（ｆ）の厚紙においては、略平行な２枚の紙に挟まれかつ該２枚の紙に略垂直な複数の紙により、波型が形成されている。ここで、略平行な２枚の紙とその２枚の紙に挟まれかつ該２枚の紙に略垂直な複数の紙とから成る構造を有するシートにおける略垂直な複数の紙は、上記のように四角形、例えば、正方形、長方形、ひし形、平行四辺形等、及び波形、並びに、様々な形状を形成するように配置されることができ、該略垂直な複数の紙の枚数は上記のような形状を形成することができれば特に制限はなく、通常、多数枚の紙、例えば、厚さ方向の断面の長手方向の幅１０ｃｍあたり２〜１００枚、好ましくは５〜５０枚程度から構成されている。このような構造を採用することにより、厚紙（１）及びそれを組み合わせて構成される紙製の構造物用部材（Ａ）の強度を高めることができる。図４の（ｂ）及び（ｃ）においては、（ａ）に示した段ボールシートを２枚及び３枚積層した厚紙を示したが、例えば、（ａ）に示した段ボールシートと、（ｅ）に示したハニカム構造を有するシート又は（ｄ）若しくは（ｆ）に示した、厚さ方向の断面が、略平行な２枚の紙とその２枚の紙に挟まれかつ該２枚の紙に略垂直な複数の紙とから成る構造を有するシートとを積層した厚紙であることもできる。また、図４の（ａ）〜（ｆ）に示したシートのうちの１種類又は複数種類を複数枚積層した厚紙であってもよい。これらの厚紙に耐火性を付与するために、通常、公知の防炎剤を添加することができる。
【００１２】
本考案の紙製の構造物用部材（Ａ）は、上記の厚紙（１）を複数枚組み合わせて構成される。上記の厚紙（１）を組み合わせる枚数は、構造物用部材（Ａ）の断面形状、強度等に依存し、好ましくは２〜２０枚、より好ましくは３〜１０枚、更に好ましくは４〜１０枚である。厚紙（１）の組合せは、通常、接着剤を使用して行われる。本考案の紙製の構造物用部材（Ａ）の断面形状は限定されるものではないが、好ましくは、Ｈ型、エ型、ロ型、Ｌ型、Ｉ型、コ型、多角形型、好ましくは、６角形型及び８角形型、及び、対抗する略平行な２本の直線（好ましくは、該２本の直線の長さが略等しい）と、該略平行な２本の直線の夫々の両端以外の位置で該略平行な２本の直線にその両端で接し、かつ該略平行な２本の直線に略垂直な２本の直線とにより形成される形状、好ましくは、下記の形状
0003169481.tif 000004
より成る群から選ばれる。より好ましくは、ロ型、８角形型、及び、下記の形状
0003169481.tif 000005
より成る群から選ばれる。ここで、上記の断面形状とは、上記の紙製の構造物用部材の長手方向に垂直な面で、上記の紙製の構造物用部材を切断したときの断面形状を言う。本考案の紙製の構造物用部材（Ａ）の長手方向の長さは、好ましくは１００〜３，０００ｍｍ、より好ましくは３００〜２，０００ｍｍである。また、本考案の紙製の構造物用部材（Ａ）の断面の一辺の長さは、好ましくは２０〜５００ｍｍ、より好ましくは４０〜３５０ｍｍである。図１〜３には、本考案の紙製の構造物用部材（Ａ）の一実施態様の概略図を示した。これらのうち、図１に描かれている構造物用部材（Ａ）は標準的なものである。使用の態様により、図２及び３に描かれている構造物用部材（Ａ）のように種々のデザイン、形態、色彩等のものを作成して使用することもできる。図６〜１４には、上記のより好ましい３種類の断面形状を有する、本考案の紙製の構造物用部材（Ａ）の一実施態様の平面図（断面形状を示す図）、正面図及び側面図を示した。例えば、図６の（イ）に示した断面形状を有する構造物用部材（Ａ）は、上記の厚紙（１）を７枚組み合わせて構成されている。図７及び８は、夫々、該構造物用部材（Ａ）の正面図及び側面図であり、夫々、長手方向の長さが２，２５０ｍｍ、１，８００ｍｍ、９００ｍｍ及び４５０ｍｍの４種類のものが示されている。図６の（ロ）に示した断面形状を有する構造物用部材（Ａ）は、上記の厚紙（１）を６枚組み合わせて構成されている。図９及び１０は、夫々、該構造物用部材（Ａ）の正面図及び側面図であり、夫々、長手方向の長さが２，２５０ｍｍ、１，８００ｍｍ、９００ｍｍ及び４５０ｍｍの４種類のものが示されている。図６の（ホ）に示したロ型の断面形状を有する構造物用部材（Ａ）は、上記の厚紙（１）を５枚組み合わせて構成されている。図１１は、該構造物用部材（Ａ）の正面図（側面図は正面図と同じに現れる）であり、夫々、長手方向の長さが２，２５０ｍｍ、１，８００ｍｍ、９００ｍｍ及び４５０ｍｍの４種類のものが示されている。図６の（ヘ）に示したロ型の断面形状を有する構造物用部材（Ａ）は、上記の厚紙（１）を５枚組み合わせて構成されている。図１２は、該構造物用部材（Ａ）の正面図（側面図は正面図と同じに現れる）であり、夫々、長手方向の長さが２，２５０ｍｍ、１，８００ｍｍ、９００ｍｍ及び４５０ｍｍの４種類のものが示されている。図６の（ハ）に示した８角形型の断面形状を有する構造物用部材（Ａ）は、上記の厚紙（１）を１０枚組み合わせて構成されている。図１３は、該構造物用部材（Ａ）の正面図（側面図は正面図と同じに現れる）であり、夫々、長手方向の長さが２，２５０ｍｍ、１，８００ｍｍ、９００ｍｍ及び４５０ｍｍの４種類のものが示されている。図６の（ニ）に示した８角形型の断面形状を有する構造物用部材（Ａ）は、上記の厚紙（１）を１０枚組み合わせて構成されている。図１４は、該構造物用部材（Ａ）の正面図（側面図は正面図と同じに現れる）であり、夫々、長手方向の長さが２，２５０ｍｍ、１，８００ｍｍ、９００ｍｍ及び４５０ｍｍの４種類のものが示されている。これらの構造物用部材中に存在する穴（２）の直径は３５ｍｍであり、該穴（２）は、これらの構造物用部材同士を接続するため、又は、他の物品、例えば、照明機器；音響機器、例えば、スピーカー；映像機器、例えば、プロジェクター、液晶モニター、プラズマモニター、有機ＥＬモニター、カメラ；情報機器、例えば、パーソナルコンピューター、マルチメディア情報末端；ディスプレイパネル、サインバネル、絵画、タペストリー、カーテン、時計、衣類、装身具等のあらゆる物品を取り付けるために使用し得る。
【００１３】
本考案の紙製の構造物用部材（Ａ）は、それを複数個組み合わせて、展示場、例えば、販売促進のための商品展示場、展覧会又は博覧会の展示場、販売場、例えば、商品販売場、メディア作成用スタジオ、例えば、写真撮影用スタジオ、映像撮影用スタジオ、レコーディングスタジオ、リハーサルスタジオ等の構造物、とりわけ、一時的又は短期間だけ設置する目的における上記構造物、例えば、短ければ２〜３日、長くても２〜３ヶ月で取り壊してしまうような上記構造物の骨組み等に使用することができる。本考案の紙製の構造物用部材（Ａ）を組み合わせる方法は、例えば、図６〜１４に示したような紙製の構造物用部材（Ａ）においては、そこに一定間隔で備えられている直径３５ｍｍの穴（２）を使用して、この穴同士を所定の締結具で接続することにより組立てることができる。該締結具としては、例えば、通常のボルトナットを使用することもできるが、図１５及び１６に示したような締結具（３）を使用して図１７に示したように組み立てることができる。ここで、図１５は、締結具（３）を頂部から見た概略図である。締結に際しては、紙製の構造物用部材の直径３５ｍｍの穴（２）中に締結具外側部品（４）を挿入し、次いで、締結具内側部品（５）を締結具外側部品（４）中に押し込むように挿入しつつレバー（８）を使用してＬＯＣＫの位置に合わせて固定する。これにより締結具ツメ（６）が、夫々、外側方向に開き、かつ、締結具ツメ（７）が、夫々、手前及び向こう側に開いて、紙製の構造物用部材（Ａ）同士が、図１７に示したように締結される。図１８には、本考案の紙製の構造物用部材（Ａ）を複数組み合わせて作製した紙製構造物（Ｂ）の一実施態様を示した。該構造物、即ち、骨組みはその一例であって、紙製の構造物用部材（Ａ）の組合せにより種々の構造物（Ｂ）を作製することができる。図１９及び２０には、夫々、家具展示場及び博覧会の展示場の骨組みとして、本考案の紙製の構造物用部材（Ａ）を使用した一例を示した。
【産業上の利用可能性】
【００１４】
本考案に係る構造物用部材は紙製であることから、軽量で取り扱い易く、かつ、種々の形状のものを容易に作製することができる。従って、該構造物用部材を組み合わせて作製した構造物の設置及び撤去が容易であり、かつ、レイアウト及びモチーフの自由度も高く、併せて、移動、廃棄等も容易であり、かつ、安価である。とりわけ、一時的又は短期的に設置する目的における構造物において、これらの効果が顕著である。従って、展覧会又は博覧会等の展示場、販売促進のための商品展示場、商品の販売場、メディア作成用スタジオ、例えば、写真撮影用スタジオ、映像撮影用スタジオ、レコーディングスタジオ、リハーサルスタジオ等の構造物、とりわけ、一時的又は短期間だけ設置する目的における上記構造物、例えば、その骨組みに使用されることが大いに期待される。
【符号の説明】
【００１５】
Ａ    紙製の構造物用部材
Ｂ    紙製構造物
ａ    段ボールシートの厚紙
ｂ    段ボールシートを２枚積層した厚紙
ｃ    段ボールシートを３枚積層した厚紙
ｄ、ｆ    厚さ方向の断面が、略平行な２枚の紙とその２枚の紙に挟まれかつ該２枚の紙に略垂直な複数の紙とから成る構造を有するシートの厚紙
ｅ    ハニカム構造を有するシートの厚紙
１    厚紙
２    穴
３    締結具
４    締結具外側部品
５    締結具内側部品
６、７    締結具ツメ
８    締結具レバー
【図１】
0003169481.tif 000006
【図２】
0003169481.tif 000007
【図３】
0003169481.tif 000008
【図４】
0003169481.tif 000009
【図５】
0003169481.tif 000010
【図６】
0003169481.tif 000011
【図７】
0003169481.tif 000012
【図８】
0003169481.tif 000013
【図９】
0003169481.tif 000014
【図１０】
0003169481.tif 000015
【図１１】
0003169481.tif 000016
【図１２】
0003169481.tif 000017
【図１３】
0003169481.tif 000018
【図１４】
0003169481.tif 000019
【図１５】
0003169481.tif 000020
【図１６】
0003169481.tif 000021
【図１７】
0003169481.tif 000022
【図１８】
0003169481.tif 000023
【図１９】
0003169481.tif 000024
【図２０】
0003169481.tif 000025
【手続補正書】
【提出日】平成23年5月27日(2011.5.27)
【手続補正１】
【補正対象書類名】実用新案登録請求の範囲
【補正対象項目名】請求項１
【補正方法】変更
【補正の内容】
【請求項１】
段ボールシート、ハニカム構造を有するシート、厚さ方向の断面が、略平行な２枚の紙とその２枚の紙に挟まれかつ該２枚の紙に略垂直な複数の紙とから成る構造を有する、上記のハニカム構造を有するシートを除くシート、及び、これらシートを２〜３０枚重ね合わせた構造を有するシートより成る群から選ばれる厚紙から成り、Ｈ型、エ型、ロ型、Ｌ型、Ｉ型、コ型、多角形型、及び、対抗する略平行な２本の直線と、該略平行な２本の直線の夫々の両端以外の位置で該略平行な２本の直線にその両端で接し、かつ該略平行な２本の直線に略垂直な２本の直線とにより形成される形状より成る群から選ばれる、長手方向に垂直な面で紙製の構造物用部材を切断したときの断面形状を有する、柱状又は湾曲する柱状の形状を有する紙製の構造物用部材。